Podtech/llm-jp-corpus-v4-ja_patent huggingface dataset:
【手続補正書】
【提出日】令和1年7月16日(2019.7.16)
【手続補正１】
【補正対象書類名】特許請求の範囲
【補正対象項目名】全文
【補正方法】変更
【補正の内容】
【特許請求の範囲】
【請求項１】
単一受信アンテナを有するユーザ機器（ＵＥ）によるワイヤレス通信のための方法であって、
１つまたは複数のモビリティプロシージャを行いながら、１つまたは複数のセルによって送信された同期信号を探索することと、
行われるモビリティプロシージャのタイプに少なくとも部分的に依存して、１つまたは複数のアクションを取ることによって、前記同期信号の検出および近傍セルの測定を強化することと、
を備え、
ここにおいて、モビリティプロシージャの前記タイプは、近傍セルの測定を備え、
前記１つまたは複数のアクションを取ることは、時間ウィンドウの間、複数の測定を介して、時間にわたる最大基準信号受信電力（ＲＳＲＰ）を選択することを備える、
方法。
【請求項２】
前記１つまたは複数のアクションを取ることは、
サブフレームの第１のグループに関する基準信号受信電力（ＲＳＲＰ）を測定することと、
サブフレームの第２のグループに関するＲＳＲＰを測定することと、
第１のアンテナに関するＲＳＲＰとしてサブフレームの前記第１のグループに関する前記ＲＳＲＰを報告することと、
第２のアンテナに関するＲＳＲＰとしてサブフレームの前記第２のグループに関する前記ＲＳＲＰを報告することと
を備える、請求項１に記載の方法。
【請求項３】
前記ＵＥが不連続受信（ＤＲＸ）動作モードにあるとき、前記測定が行われる前記時間ウィンドウの長さが、前記ＵＥのパニック状態に、少なくとも部分的に基づいて選択され、ここにおいて、前記パニック状態は、どのくらいの頻度で、前記測定が行われるかを決定し、前記パニック状態は、信号品質メトリックに基づく、請求項１に記載の方法。
【請求項４】
単一受信アンテナを有するユーザ機器（ＵＥ）によるワイヤレス通信のための装置であって、
１つまたは複数のモビリティプロシージャを行いながら、１つまたは複数のセルによって送信された同期信号を探索するための手段と、
行われるモビリティプロシージャのタイプに少なくとも部分的に依存して、１つまたは複数のアクションを取ることによって、前記同期信号の検出および近傍セルの測定を強化するための手段と、
を備え、
ここにおいて、モビリティプロシージャの前記タイプは、近傍セルの測定を備え、
同期信号の検出および近傍セルの測定を強化するための前記手段は、時間ウィンドウの間、複数の測定を介して、時間にわたる最大基準信号受信電力（ＲＳＲＰ）を選択するように構成される、
装置。
【請求項５】
同期信号の検出および近傍セルの測定を強化するための前記手段は、
サブフレームの第１のグループに関する基準信号受信電力（ＲＳＲＰ）を測定することと、
サブフレームの第２のグループに関するＲＳＲＰを測定することと、
第１のアンテナに関するＲＳＲＰとしてサブフレームの前記第１のグループに関する前記ＲＳＲＰを報告することと、
第２のアンテナに関するＲＳＲＰとしてサブフレームの前記第２のグループに関する前記ＲＳＲＰを報告することと
を行うようにさらに構成される、請求項４に記載の装置。
【請求項６】
前記ＵＥが不連続受信（ＤＲＸ）動作モードにあるとき、同期信号の検出および近傍セルの測定を強化するための前記手段は、前記ＵＥのパニック状態に、少なくとも部分的に基づいて、前記測定が行われる前記時間ウィンドウの長さを選択するようにさらに構成され、ここにおいて、前記パニック状態は、どのくらいの頻度で、前記測定が行われるかを決定し、前記パニック状態は、信号品質メトリックに基づく、請求項４に記載の装置。
【請求項７】
命令を備えるコンピュータプログラムであって、前記命令は、前記プログラムがコンピュータによって実行されると、請求項１〜請求項７のうちのいずれかの方法を前記コンピュータに実行させる、コンピュータプログラム。
【手続補正書】
【提出日】平成31年4月12日(2019.4.12)
【手続補正１】
【補正対象書類名】特許請求の範囲
【補正対象項目名】全文
【補正方法】変更
【補正の内容】
【特許請求の範囲】
【請求項１】
複数個のカメラと、
前記複数個のカメラの各々からの画像データを使用して処理を実行するように構成される処理装置とを備え、
前記カメラの各々は加速度計を備え、前記処理装置は前記加速度計からの出力に依存する処理を実行するように構成され、
前記処理装置は、カメラにおいて第１の方向の加速度の変動が検出された場合には前記カメラに関連する第１の方向選択処理を実行し、かつ前記カメラにおいて第２の方向の加速度の変動が検出された場合には、前記カメラに関連する第２の方向選択処理を実行するように構成され、前記第１および第２の方向は互いに異なり、前記第１および第２の方向選択処理は互いに異なる、
モーション・キャプチャ・システム。
【請求項２】
前記処理装置は、
前記加速度計からの出力に基づいて前記カメラのうちの１つを選択し、かつ、
前記カメラのどれが選択されたかに応じて選択されたカメラ処理を実行するように構成される、
請求項１に記載のシステム。
【請求項３】
前記選択されたカメラ処理は、前記選択されたカメラからのデータを表示することを含む、
請求項２に記載のシステム。
【請求項４】
前記選択されたカメラ処理は、複数個の前記カメラからのデータを表示することと、前記表示されたデータのうちのどれが前記選択されたカメラに対応するかを示す視覚情報を提供することとを含む、
請求項３に記載のシステム。
【請求項５】
前記選択されたカメラ処理は、前記選択されたカメラからのデータを表示し、他のカメラからのデータは表示しないことを含む、
請求項３に記載のシステム。
【請求項６】
前記表示されたデータは、前記選択されたカメラがキャプチャした画像データを含む、
請求項２乃至請求項５のいずれかに記載のシステム。
【請求項７】
前記表示されたデータは、前記選択されたカメラの構成データを含む、
請求項２乃至請求項６のいずれかに記載のシステム。
【請求項８】
前記選択されたカメラ処理は、ユーザが前記選択されたカメラを制御できるようにする選択されたカメラインタフェースをユーザに提供することを含む、
請求項２乃至請求項７のいずれかに記載のシステム。
【請求項９】
前記選択されたカメラインタフェースは、複数個の前記カメラの制御を可能にし、前記カメラのうちのどれが前記選択されたカメラであるかを示す視覚表示を提供する、
請求項８に記載のシステム。
【請求項１０】
前記選択されたカメラインタフェースは、前記選択されたカメラを制御可能にし、他のカメラは制御可能にしない、
請求項８に記載のシステム。
【請求項１１】
前記処理装置は、前記カメラのうちの１つからの前記加速度計の前記出力における所定の閾値より大きい変動に応じて、該カメラを選択するように構成される、
請求項２乃至請求項１０のいずれかに記載のシステム。
【請求項１２】
前記処理装置は、前記カメラのうちの１つからの前記加速度計の出力が所定のシグネチャ出力と一致する場合に該カメラを選択するように構成される、
請求項２乃至請求項１１のいずれかに記載のシステム。
【請求項１３】
前記所定のシグネチャ出力は、ユーザが前記カメラを指でタップすることによる出力に対応する、
請求項１２に記載のシステム。
【請求項１４】
前記所定のシグネチャ出力は、ユーザが前記カメラを所定の複数回タップすることによる出力に対応する、
請求項１２又は請求項は１３に記載のシステム。
【請求項１５】
前記カメラの各々は、物理的に別個の装置であり、前記他のカメラから独立して取り付け可能である、
請求項１乃至請求項１４のいずれかに記載のシステム。
【請求項１６】
前記処理装置は、前記カメラの各々と無線で通信するように構成されたポータブル・コンピューティング・デバイスに設けられる、
請求項１乃至請求項１５のいずれかに記載のシステム。
【請求項１７】
前記処理装置は、前記加速度計からの出力に基づいて前記カメラのいずれかの向きの変化を検出するように構成される、
請求項１乃至請求項１６のいずれかに記載のシステム。
【請求項１８】
カメラの向きの変化の前記検出は、該カメラに対する重力方向の変化を検出することによって実行される、
請求項１７に記載のシステム。
【請求項１９】
複数個のカメラを使用してモーションキャプチャを実行する方法であって、前記カメラの各々は加速度計を備え、
前記加速度計からの出力に依存する処理を処理装置で実行することを含み、
前記処理装置は、カメラにおいて第１の方向の加速度の変動が検出された場合には前記カメラに関連する第１の方向選択処理を実行し、かつ前記カメラにおいて第２の方向の加速度の変動が検出された場合には、前記カメラに関連する第２の方向選択処理を実行するように構成され、前記第１および第２の方向は互いに異なり、前記第１および第２の方向選択処理は互いに異なる、
方法。
【請求項２０】
前記処理は、前記加速度計からの出力に基づいて前記カメラのいずれかの向きの変化を検出することを含む、
請求項１９に記載の方法。
【請求項２１】
前記カメラの各々をターゲットである場所に向けて固定的に取り付けることと、カメラの向きの前記検出された変化を使用して、前記カメラの前記取り付けのずれを検出することとをさらに含む、
請求項２０に記載の方法。
【手続補正書】
【提出日】令和1年7月19日(2019.7.19)
【手続補正１】
【補正対象書類名】特許請求の範囲
【補正対象項目名】全文
【補正方法】変更
【補正の内容】
【特許請求の範囲】
【請求項１】
トレーニングされた機械学習モデルのパフォーマンスを改善するためのコンピュータによりインプリメントされる方法であって、
第１の目的関数を有する第１の分類器に、第２の目的関数を有する第２の分類器を追加すること、前記第１の目的関数は、前記第２の目的関数とは異なり、前記第１の目的関数は、微分可能であり、前記第２の目的関数は、微分不可能であり、前記第２の目的関数は、前記第１の分類器の誤差を直接的に低減させるために使用される、
を備える、コンピュータによりインプリメントされる方法。
【請求項２】
前記第２の目的関数は、前記第１の分類器と前記第２の分類器との誤差間の差の関数である、請求項１に記載のコンピュータによりインプリメントされる方法。
【請求項３】
より高い複雑度のモデルからの確率の混合に少なくとも部分的に基づいて、前記第２の目的関数を決定することをさらに備える、請求項１に記載のコンピュータによりインプリメントされる方法。
【請求項４】
前記第１の分類器を再トレーニングすることなく、前記第２の分類器を追加することをさらに備える、請求項１に記載のコンピュータによりインプリメントされる方法。
【請求項５】
前記第１の分類器の外部に前記第２の分類器を追加することをさらに備える、請求項１に記載のコンピュータによりインプリメントされる方法。
【請求項６】
アイデンティティ値に、前記第１の分類器によってトレーニングされたモデルによって生成される特徴に対する重みを割り当てることをさらに備える、請求項１に記載のコンピュータによりインプリメントされる方法。
【請求項７】
ゼロに、高い複雑度のモデルの確率ベクトルによって生成される特徴に対する重みを割り当てることをさらに備える、請求項６に記載のコンピュータによりインプリメントされる方法。
【請求項８】
前記第２の分類器の確率ベクトルによって生成される特徴に対する重みを割り当てることをさらに備える、請求項１に記載のコンピュータによりインプリメントされる方法。
【請求項９】
ゼロに、高い複雑度のモデルの確率ベクトルによって生成される特徴に対する重みを割り当てることをさらに備える、請求項１に記載のコンピュータによりインプリメントされる方法。
【請求項１０】
前記第２の分類器の確率ベクトルによって生成される特徴に対する重みを割り当てることをさらに備える、請求項９に記載のコンピュータによりインプリメントされる方法。
【請求項１１】
固定された温度Ｔによって、より高い複雑度のモデルによって生成される確率ベクトルをスケーリングすることをさらに備える、請求項１に記載のコンピュータによりインプリメントされる方法。
【請求項１２】
トレーニングされた機械学習モデルのパフォーマンスを改善するための装置であって、
メモリと、
前記メモリに結合された少なくとも１つのプロセッサと
を備え、前記少なくとも１つのプロセッサは、
第１の目的関数を有する第１の分類器に、第２の目的関数を有する第２の分類器を追加すること、前記第１の目的関数は、微分可能であり、前記第２の目的関数は、微分不可能であり、前記第１の目的関数は、前記第２の目的関数とは異なり、前記第２の目的関数は、前記第１の分類器の誤差を直接的に低減させるために使用される、
を行うように構成される、装置。
【請求項１３】
ｉ）前記第２の目的関数は、前記第１の分類器と前記第２の分類器との誤差間の差の関数である、
ｉｉ）前記少なくとも１つのプロセッサは、より高い複雑度のモデルからの確率の混合に少なくとも部分的に基づいて、前記第２の目的関数を決定するようにさらに構成される、
ｉｉｉ）前記少なくとも１つのプロセッサは、前記第１の分類器を再トレーニングすることなく、前記第２の分類器を追加するようにさらに構成される、
ｉｖ）前記少なくとも１つのプロセッサは、前記第１の分類器の外部に前記第２の分類器を追加するようにさらに構成される、
ｖ）前記少なくとも１つのプロセッサは、アイデンティティ値に、前記第１の分類器によってトレーニングされたモデルによって生成される特徴に対する重みを割り当てるようにさらに構成される、
ｖｉ）前記少なくとも１つのプロセッサは、前記第２の分類器の確率ベクトルによって生成される特徴に対する重みを割り当てるようにさらに構成される、
ｖｉｉ前記少なくとも１つのプロセッサは、ゼロに、高い複雑度のモデルの確率ベクトルによって生成される特徴に対する重みを割り当てるようにさらに構成される、
ｖｉｉｉ）前記少なくとも１つのプロセッサは、固定された温度Ｔによって、より高い複雑度のモデルによって生成される確率ベクトルをスケーリングするようにさらに構成される、
のうちの１つを備える、請求項１２に記載の装置。
【請求項１４】
トレーニングされた機械学習モデルのパフォーマンスを改善するための装置であって、
第１の目的関数を有する第１の分類器に、第２の目的関数を有する第２の分類器を追加するための手段と、前記第１の目的関数は、前記第２の目的関数とは異なり、前記第２の目的関数は、前記第１の分類器の誤差を直接的に低減させるために使用される、
前記トレーニングされた機械学習モデルを介して受信される入力に少なくとも部分的に基づいて、前記第２の分類器から特徴ベクトルを出力するための手段と
を備える装置。
【請求項１５】
トレーニングされた機械学習モデルのパフォーマンスを改善するためのプログラムコードをその上に符号化された非一時的なコンピュータ可読媒体であって、前記プログラムコードは、プロセッサによって実行され、第１の目的関数を有する第１の分類器に、第２の目的関数を有する第２の分類器を追加するためのプログラムコードを備え、前記第１の目的関数は、前記第２の目的関数とは異なり、前記第２の目的関数は、前記第１の分類器の誤差を直接的に低減させるために使用される、非一時的なコンピュータ可読媒体。
【手続補正書】
【提出日】令和1年7月12日(2019.7.12)
【手続補正１】
【補正対象書類名】特許請求の範囲
【補正対象項目名】全文
【補正方法】変更
【補正の内容】
【特許請求の範囲】
【請求項１】
送信源から送信された既知のプローブ信号である、受信機において受信された受信信号に基づいて前記送信源からの距離を決定するための方法であって、
前記プローブ信号の分類されたセクションの積和を取得するステップであって、
（ｉ）それぞれの分類されたセクションは、所定の持続時間であり、前記分類されたセクションの信号値によって表される信号遷移に基づいて、予め定められた数のカテゴリのうちの１つに分類され、かつ
（ｉｉ）それぞれの積和は、カテゴリのうち１つの同じカテゴリに分類されている前記プローブ信号の分類されたセクションのすべての信号値を合計することによって形成される、該ステップを含み、
前記プローブ信号に対する複数のオフセットのそれぞれについて、
前記受信信号が前記オフセットによって後ろにシフトされた後、前記受信信号を前記所定の持続時間である前記セクションに分割するステップと、
後ろにシフトされた受信信号の前記セクションの信号値及び前記積和を使用して、前記オフセットによって後ろにシフトされた受信信号と前記プローブ信号との間の相関を計算するステップとを含むことを特徴とする方法。
【請求項２】
請求項１に記載の方法であって、
それぞれのセクションは、前記セクション内の信号遷移と、前記セクションの前後の１以上のセクションにおける前記信号遷移に従って分類されることを特徴とする方法。
【請求項３】
請求項１に記載の方法であって、
それぞれのセクションは複数のチップを含み、前記所定の持続時間は整数のチップを含むことを特徴とする方法。
【請求項４】
請求項１に記載の方法であって、
前記受信信号のそれぞれの信号値は、前記受信信号の同相値及び直角位相サンプルによって形成された複素数によって表されることを特徴とする方法。
【請求項５】
請求項１に記載の方法であって、
前記相関は、前記後ろにシフトされた受信信号の前記セクションの前記積和及び前記信号値にマスキング関数を適用した後に計算することを特徴とする方法。
【請求項６】
請求項１に記載の方法であって、
前記計算された相関の最も大きい１つに対応するオフセットを予想オフセットとして選択するステップを更に含むことを特徴とする方法。
【請求項７】
請求項１に記載の方法であって、
前記受信信号の電力、通信チャネルの期待されるゲイン、加法性雑音の標準偏差、及び信号対雑音比のうち１以上を計算するステップを更に含むことを特徴とする方法。
【請求項８】
請求項１に記載の方法であって、
前記計算された相関に基づいて複数の統計的状態を保持するステップを更に含むことを特徴とする方法。
【請求項９】
請求項１に記載の方法であって、
前記統計的状態は、経時的に更新される加算性ガウス確率分布に基づいて計算されることを特徴とする方法。
【請求項１０】
請求項１に記載の方法であって、
前記後ろにシフトされた受信信号の１以上の前記セクションの信号値は、前記計算された相関から除外されることを特徴とする方法。
【請求項１１】
請求項１に記載の方法であって、
それぞれの相関は、経時的に減少する係数によって重み付けされた、より早く計算された相関に基づいて計算されることを特徴とする方法。
【請求項１２】
請求項１に記載の方法であって、
前記後ろにシフトされた受信信号の周波数及び位相を推定するステップを更に含むことを特徴とする方法。
【請求項１３】
請求項１２に記載の方法であって、
前記周波数及び前記位相は、カルマンフィルタを用いて推定されることを特徴とする方法。
【請求項１４】
送信源から送信された既知のプローブ信号である、受信機において受信された受信信号に基づいて前記送信源からの距離を決定するための装置であって、
ストレージユニットと、演算ユニットとを含み、
前記ストレージユニットは、前記プローブ信号の分類されたセクションの積和を記憶し、
（ｉ）それぞれの分類されたセクションは、所定の持続時間であり、前記分類されたセクションの信号値によって表される信号遷移に基づいて、予め定められた数のカテゴリのうちの１つに分類され、かつ
（ｉｉ）それぞれの積和は、カテゴリのうち１つの同じカテゴリに分類されている前記プローブ信号の分類されたセクションのすべての信号値を合計することによって形成され、
前記演算ユニットは、前記プローブ信号に対する複数のオフセットのそれぞれについて、
前記受信信号が前記オフセットによって後ろにシフトされた後、前記受信信号を前記所定の持続時間である前記セクションに分割し、
後ろにシフトされた受信信号の前記セクションの信号値及び前記積和を使用して、前記オフセットによって後ろにシフトされた受信信号と前記プローブ信号との間の相関を計算することを特徴とする装置。
【請求項１５】
請求項１４に記載の装置であって、
それぞれのセクションは、前記セクション内の信号遷移と、前記セクションの前後の１以上のセクションにおける前記信号遷移に従って分類されることを特徴とする装置。
【請求項１６】
請求項１４に記載の装置であって、
それぞれのセクションは複数のチップを含み、前記所定の持続時間は整数のチップを含むことを特徴とする装置。
【請求項１７】
請求項１４に記載の装置であって、
前記受信信号をデジタル信号値の形式で提供するフロントエンド回路を更に含むことを特徴とする装置。
【請求項１８】
請求項１４に記載の装置であって、
前記受信信号のそれぞれの信号値は、前記受信信号の同相値及び直角位相サンプルによって形成された複素数によって表されることを特徴とする装置。
【請求項１９】
請求項１４に記載の装置であって、
前記相関は、前記後ろにシフトされた受信信号の前記セクションの前記積和及び前記信号値にマスキング関数を適用した後に計算することを特徴とする装置。
【請求項２０】
請求項１４に記載の装置であって、
前記計算された相関の最も大きい１つに対応するオフセットであるように予想オフセットが選択されることを特徴とする装置。
【請求項２１】
請求項１４に記載の装置であって、
前記計算された相関に基づいて複数の統計的状態が保持されることを特徴とする装置。
【請求項２２】
請求項２１に記載の装置であって、
前記統計的状態は、経時的に更新される加算性ガウス確率分布に基づいて計算されることを特徴とする装置。
【請求項２３】
請求項１４に記載の装置であって、
それぞれの相関は、経時的に減少する係数によって重み付けされた、より早く計算された相関に基づいて計算されることを特徴とする装置。
【請求項２４】
請求項１４に記載の装置であって、
前記後ろにシフトされた受信信号の周波数及び位相が計算されることを特徴とする装置。
【請求項２５】
請求項２４に記載の装置であって、
前記周波数及び前記位相は、カルマンフィルタを用いて推定されることを特徴とする装置。
【手続補正書】
【提出日】平成31年1月18日(2019.1.18)
【手続補正１】
【補正対象書類名】明細書
【補正対象項目名】００７３
【補正方法】変更
【補正の内容】
【００７３】
段階ｄ終了後、Ｖ＝０、Ｇ１＝１、Ｇ２＝１、Ｉｎｐｕｔ＝０、Ｒｅｓｅｔ＝０。Ｉｎｐｕｔ＝０のため、第１スイッチングトランジスタＴ１が遮断する。Ｒｅｓｅｔ＝０のため、第２スイッチングトランジスタＴ２が遮断する。ＣＫ１＝０、ＣＫ２＝０、ＣＫ３＝１のとき、第３ノードＣがフローティング状態（Ｆlｏａｔｉｎｇ）にある。第１コンデンサＣ１のブートストラップ作用により、第１コンデンサＣ１の両端の電圧差が維持されるよう第３ノートＣの電位が高電位に維持され、当該段階で第４スイッチングトランジスタＴ４と第８スイッチングトランジスタＴ８の両方が導通することを保証する。ＣＫ４＝１のたびに、第１コンデンサＣ１の充電が開始する。第４スイッチングトランジスタＴ４が導通し低電位の直流信号Ｖを第１ノードＡに提供するため、第１ノードＡの電位が低電位である。第１ノードＡと第２ノートＢが導通状態にあるため、第２ノートＢの電位が低電位である。第２ノートＢの電位が低電位であるため、第６スイッチングトランジスタＴ６と第７スイッチングトランジスタＴ７の両方が遮断する。第８スイッチングトランジスタＴ８が導通し低電位の直流信号Ｖを駆動信号出力端子Ｏｕｔｐｕｔに提供するため、駆動信号出力端子Ｏｕｔｐｕｔから低電位走査信号が出力される。
【手続補正２】
【補正対象書類名】明細書
【補正対象項目名】００８３
【補正方法】変更
【補正の内容】
【００８３】
表示段階Ｓ３において、Ｖ＝０、Ｇ１＝１、Ｇ２＝１、Ｉｎｐｕｔ＝０、Ｒｅｓｅｔ＝０。Ｉｎｐｕｔ＝０のため、第１スイッチングトランジスタＴ１が遮断する。Ｒｅｓｅｔ＝０のため、第２スイッチングトランジスタＴ２が遮断する。ＣＫ１＝０、ＣＫ２＝０、ＣＫ３＝１のとき、第３ノードＣがフローティング状態（Ｆlｏａｔｉｎｇ）にあり、第１コンデンサＣ１のブートストラップ作用により、第１コンデンサＣ１の両端の電圧差が維持されるよう第３ノートＣの電位が高電位に維持され、当該段階で第４スイッチングトランジスタＴ４と第８スイッチングトランジスタＴ８の両方が導通することを保証する。ＣＫ４＝１のたびに、第１コンデンサＣ１の充電が開始する。第４スイッチングトランジスタＴ４が導通し低電位の直流信号Ｖを第１ノードＡに提供するため、第１ノードＡの電位が低電位である。第１ノードＡと第２ノートＢが導通状態にあるため、第２ノートＢの電位が低電位である。第２ノートＢの電位が低電位であるため、第６スイッチングトランジスタＴ６と第７スイッチングトランジスタＴ７の両方が遮断する。第８スイッチングトランジスタＴ８が導通し低電位の直流信号Ｖを駆動信号出力端子Ｏｕｔｐｕｔに提供するため、駆動信号出力端子Ｏｕｔｐｕｔから低電位走査信号が出力される。表示段階Ｓ３の作動過程は、表示段階Ｓ１の段階ｄ終了後の作動過程と同一であることが分かる。ここでは繰り返して記載しない。
【手続補正書】
【提出日】令和1年7月11日(2019.7.11)
【手続補正１】
【補正対象書類名】特許請求の範囲
【補正対象項目名】全文
【補正方法】変更
【補正の内容】
【特許請求の範囲】
【請求項１】
画像処理システムの画像処理構成コンポーネントであって、前記画像処理構成コンポーネントは、
画像オブジェクトの少なくとも２つのセットを受け取る入力インタフェースであって、少なくとも１つのセットは、単一の画像オブジェクト又は複数の画像オブジェクトを備え、前記画像オブジェクトの前記少なくとも２つのセットは、生体物質のイメージから導出されたものである、入力インタフェースと、
前記画像オブジェクトの画像フィーチャ又は前記画像オブジェクトに関する画像フィーチャを導出する画像フィーチャ導出器と、
前記画像オブジェクトの前記少なくとも２つのセットのための初期グローバル位置合せ変換を前記画像フィーチャに基づいて計算するグローバル変換構築器と、
前記画像オブジェクトの前記少なくとも２つのセットからの画像オブジェクト間の少なくとも１つのクロスリンクを、前記初期グローバル位置合せ変換及び前記初期グローバル位置合せ変換の逆変換に基づいて確立するクロスリンカと
を備え、前記画像オブジェクトは、画像の画像点の領域又はセットであり、
前記クロスリンクは、前記初期グローバル位置合せ変換又は前記初期グローバル位置合せ変換の逆変換のマッピング作用によって到達することができる２つの画像間の全ての画像オブジェクトをまとめている、
画像処理構成コンポーネント。
【請求項２】
前記クロスリンクについて、前記クロスリンク内でクロスリンクされた画像オブジェクトに限定された局所的に適合された少なくとも１つの変換を計算する局所変換構築器と、
ｉ）前記局所的に適合された少なくとも１つの変換と前記初期グローバル位置合せ変換の少なくとも部分とを結合し、又はｉｉ）局所的に適合された複数の変換を結合して、前記画像オブジェクトの前記少なくとも２つのセットのための結合された位置合せ変換にする結合操作を実行する結合器と、
新たなグローバル変換を出力する出力インタフェースと
をさらに備える、請求項１に記載の画像処理構成コンポーネント。
【請求項３】
前記局所的に適合された少なくとも１つの変換を計算する前記局所変換構築器の動作は、前記画像フィーチャ導出器によって以前に導出された前記画像フィーチャのうちの１つ又は複数の画像フィーチャに基づく、請求項２に記載の画像処理構成コンポーネント。
【請求項４】
前記画像処理構成コンポーネントは、
前記少なくとも２つのセットからのそれぞれの画像オブジェクトを下位オブジェクトに細分して、前記下位オブジェクトのセットを得、
前記下位オブジェクトについて、下位局所的に適合された少なくとも１つの変換を計算する、リファイナを備え、
前記結合器は、前記結合操作に、前記下位局所的に適合された少なくとも１つの変換を備えるように動作可能である、請求項２又は３に記載の画像処理構成コンポーネント。
【請求項５】
前記初期グローバル位置合せ変換による位置合せ結果の表示を実施するように動作可能であり、且つ／又は中間位置合せによる新たな位置合せ結果若しくは結合された位置合せ変換による新たな位置合せ結果に関して表示を更新するように動作可能なグラフィクス表示発生器を備える、請求項１乃至４の何れか一項に記載の画像処理構成コンポーネント。
【請求項６】
前記グローバル変換構築器によって前記初期グローバル位置合せ変換を計算することができない場合に前記画像オブジェクトの前記少なくとも２つのセットのうちの少なくとも１つのセットをアップサンプリング又はダウンサンプリングするサンプラをさらに備える、請求項１乃至５の何れか一項に記載の画像処理構成コンポーネント。
【請求項７】
前記結合器の動作はＢ−スプライニングに基づく、請求項２乃至４の何れか一項に記載の画像処理構成コンポーネント。
【請求項８】
前記画像オブジェクトのうちの少なくとも１つの画像オブジェクトは、前記イメージに適用された画像セグメント化操作によって導出されたものである、請求項１乃至７の何れか一項に記載の画像処理構成コンポーネント。
【請求項９】
請求項１乃至８の何れか一項に記載の画像処理構成コンポーネントと、
イメージを提供する画像捕捉装置であって、前記イメージから画像オブジェクトの前記少なくとも２つのセットが導出された、当該画像捕捉装置とを含む、
画像処理システム。
【請求項１０】
画像オブジェクトの少なくとも２つのセットを受け取るステップであって、少なくとも１つのセットは、単一の画像オブジェクト又は複数の画像オブジェクトを有し、前記画像オブジェクトの前記少なくとも２つのセットは、生体物質のイメージから導出されたものである、受け取るステップと、
前記少なくとも２つのセット中の前記画像オブジェクトの画像フィーチャ又は前記少なくとも２つのセット中の前記画像オブジェクトに関する画像フィーチャを導出するステップと、
前記画像オブジェクトの前記少なくとも２つのセットのための初期グローバル位置合せ変換を前記画像フィーチャに基づいて計算するステップと、
前記画像オブジェクトの前記少なくとも２つのセットからの画像オブジェクト間の少なくとも１つのクロスリンクを、前記初期グローバル位置合せ変換及び前記初期グローバル位置合せ変換の逆変換に基づいて確立するステップと
を有する、画像処理方法。
【請求項１１】
前記少なくとも１つのクロスリンクについて、前記クロスリンク内のクロスリンクされた画像オブジェクトに限定された局所的に適合された少なくとも１つの変換を計算するステップと、
ｉ）前記局所的に適合された少なくとも１つの変換と前記初期グローバル位置合せ変換の少なくとも部分とを結合し、又はｉｉ）局所的に適合された複数の変換を結合して、前記画像オブジェクトの前記少なくとも２つのセットのための結合された位置合せ変換にするステップと、
前記結合された位置合せ変換を出力するステップと
を有する、請求項１０に記載の画像処理方法。
【請求項１２】
前記局所的に適合された少なくとも１つの変換を計算するステップは、前記導出するステップで以前に導出した前記画像フィーチャのうちの１つ又は複数の画像フィーチャに基づく、請求項１１に記載の画像処理方法。
【請求項１３】
前記生体物質のイメージは、少なくとも１つのディジタル病理学画像を備える、請求項１０乃至１２の何れか一項に記載の画像処理方法、請求項１乃至８の何れか一項に記載の画像処理構成コンポーネント又は請求項９に記載の画像処理システム。
【請求項１４】
局所的に適合された少なくとも１つの変換の計算は、前記初期グローバル位置合せ変換の計算と同じ分解能レベルで行われる、請求項１０乃至１３の何れか一項に記載の画像処理方法、請求項１乃至８の何れか一項に記載の画像処理構成コンポーネント又は請求項９に記載の画像処理システム。
【請求項１５】
請求項１乃至８の何れか一項に記載の画像処理構成コンポーネントを制御するためのコンピュータプログラムであって、処理ユニットによって実施されると請求項１０乃至１４の何れか一項に記載の画像処理方法のステップを実行する、コンピュータプログラム。
【請求項１６】
請求項１５に記載のコンピュータプログラムが記憶された、コンピュータ可読媒体。
【手続補正書】
【提出日】令和1年9月6日(2019.9.6)
【手続補正１】
【補正対象書類名】特許請求の範囲
【補正対象項目名】全文
【補正方法】変更
【補正の内容】
【特許請求の範囲】
【請求項１】
正端子と、
負端子と、
ハウジングと、を備えている電池であって、
当該ハウジングは、
電源と、
前記正端子、前記負端子、および前記電源に動作可能に接続された電圧調整装置と
を備えており、
前記電池は、前記正端子と前記負端子の間で測定される出力電圧を有し、さらに、
前記電圧調整装置は、プログラムされた可変のレベルに出力電圧を調整するように互いに動作可能に接続された電子コンポーネントを含む、電池。
【請求項２】
前記電源は、充電可能である、請求項１に記載の電池。
【請求項３】
前記電圧調整装置は、当該電圧調整装置の１つ以上の電子コンポーネントへと動作可能に接続されたコントローラを備える、請求項１乃至２のいずれか一項に記載の電池。
【請求項４】
前記電圧調整装置は、前記コントローラに接続され、出力電圧を調整するために予め設定された出力電圧において前記コントローラによって作動させられるように構成されている、請求項３に記載の電池。
【請求項５】
前記電圧調整装置は、電池充電器への接続を決定するように構成された少なくとも１つのセンサを備え、前記少なくとも１つのセンサは、
ｉ）前記充電器からの電圧を検出することにより、当該充電器への接続を決定すること、
ｉｉ）前記充電器からの電流を検出することにより、当該充電器への接続を決定すること、
ｉｉｉ）前記電源を充電するための前記充電器の検出電圧を調整するために、前記コントローラに電圧情報を提供すること、
ｉｖ）前記電源を充電するための前記充電器の検出電圧を調整するために、前記コントローラに電流情報を提供すること、
の少なくとも１つを行うように構成されている、請求項３または４に記載の電池。
【請求項６】
前記電圧調整装置は、前記電源の電圧レベル情報及び前記電源の電流の少なくともいずれかを決定して電圧レベル及び電流情報の少なくともいずれかを前記コントローラへともたらすように構成された電圧センサ及び電流センサの少なくともいずれかを備える、請求項３乃至５のいずれか一項に記載の電池。
【請求項７】
前記コントローラは、
ａ）前記電源の電圧が所定のレベルへと低下した場合に、低出力電圧を提供する、
ｂ）前記電源の電流およびプログラムされた可変レベルの少なくともいずれかに従って前記出力電圧を調整する、
ｃ）前記電池が放電の終わりに近づいたときの表示を提供するために、前記電源の電流および電圧レベルの少なくともいずれかを監視する、
の少なくとも一つを行うように構成されている、請求項３乃至６のいずれか一項に記載の電池。
【請求項８】
前記電圧調整装置は、前記コントローラに動作可能に接続された少なくとも１つの電流センサを備え、前記少なくとも１つの電流センサは、
ｉ）使用時にユーザの製品／デバイスによって取り出されている電流、
ｉｉ）放電時に前記電源において使用されている電流、
ｉｉｉ）前記電源から取り出されている電流、および
ｉｖ）前記電源が充電可能である場合に前記電源を充電するために使用されている電流、
のうちの２つ以上を検出するように構成されている、請求項３乃至７のいずれか一項に記載の電池。
【請求項９】
前記電池は、前記電源の電圧レベルを示す電圧レベルインジケータを含む、請求項１乃至８のいずれか一項に記載の電池。
【手続補正書】
【提出日】令和1年7月11日(2019.7.11)
【手続補正１】
【補正対象書類名】特許請求の範囲
【補正対象項目名】全文
【補正方法】変更
【補正の内容】
【特許請求の範囲】
【請求項１】
方法であって、
少なくとも１つのプロセッサが、複数の帯域幅圧縮グラフィックスデータを、メモリ内のそれぞれの複数のブロックに記憶することと、ここで、前記記憶することは、前記複数の帯域幅圧縮グラフィックスデータのうちの第１の１つ以上を、前記複数のブロックのうちの第１の１つ以上に記憶することと、前記複数の帯域幅圧縮グラフィックスデータのうちの第２の１つ以上を、前記複数のブロックのうちの第２の１つ以上に記憶することとを含み、ここにおいて、前記複数の帯域幅圧縮グラフィックスデータのうちの最大のものを完全に含むことができる、前記メモリ内の前記複数のブロックの各々は、均一の固定サイズであり、前記複数の帯域幅圧縮グラフィックスデータのうちの前記第１の１つ以上の各々は、前記固定サイズより小さいサイズを有し、前記複数の帯域幅圧縮グラフィックスデータのうちの前記第２の１つ以上の各々は、前記複数のブロックのうちの前記それぞれの第２の１つ以上の各々に完全に記憶される、
前記少なくとも１つのプロセッサが、前記複数の帯域幅圧縮グラフィックスデータに関連付けられたデータを、前記複数の帯域幅圧縮グラフィックスデータの前記それぞれの第１の１つ以上を含む、前記複数のブロックのうちの前記第１の１つ以上のブロックの未使用空間に、前記複数のブロックのうちの前記第１の１つ以上が前記未使用空間を含むとの決定に少なくとも部分的に基づいて、前記プロセッサが、前記グラフィックスデータに対するグラフィックス動作の前記性能を最適化するために前記データを使用し得るように、記憶することと
を備える方法。
【請求項２】
前記複数の帯域幅圧縮グラフィックスデータに関連付けられた前記データは、前記複数のブロックのうちの前記第１の１つ以上に記憶された前記複数の帯域幅圧縮グラフィックスデータのうちの前記第１の１つ以上についての深度データを備える、請求項１に記載の方法。
【請求項３】
前記少なくとも１つのプロセッサが、前記複数のブロックのうちの前記第２の１つ以上を完全に占有する、前記複数の帯域幅圧縮グラフィックスデータのうちの前記第２の１つ以上の帯域幅圧縮グラフィックスデータの各々についてのデフォルトの深度値を関連付けることをさらに備え、および好ましくは、
前記複数の帯域幅圧縮グラフィックスデータに関連付けられた前記データは、前記複数のブロックに記憶された前記複数の帯域幅圧縮グラフィックスデータの各々についての深度データを備える、請求項２に記載の方法。
【請求項４】
前記複数の帯域幅圧縮グラフィックスデータに関連付けられた前記データは、前記複数のブロックのうちの前記第１の１つ以上に記憶された前記複数の帯域幅圧縮グラフィックスデータのうちの前記第１の１つ以上の帯域幅圧縮グラフィックスデータの各々を識別する１つ以上のハッシュコードを備える、または、
前記複数の帯域幅圧縮グラフィックスデータに関連付けられた前記データは、前記複数のブロックに記憶された前記複数の帯域幅圧縮グラフィックスデータの各々を識別するハッシュコードを備える、請求項１に記載の方法。
【請求項５】
前記複数の帯域幅圧縮グラフィックスデータに関連付けられた前記データは、前記複数のブロックに記憶された前記複数の帯域幅圧縮グラフィックスデータの各々を識別するハッシュコードと、前記複数のブロックに記憶された前記複数の帯域幅圧縮グラフィックスデータの各々についての深度データとを備える、請求項１に記載の方法。
【請求項６】
前記複数の帯域幅圧縮グラフィックスデータに関連付けられた前記データは、前記グラフィックスデータの前記レンダリングを最適化するために使用され得る前記複数の帯域幅圧縮グラフィックスデータに関連付けられた最適化サーフェスを備える、請求項１に記載の方法。
【請求項７】
前記複数の帯域幅圧縮グラフィックスデータは、画像サーフェスの帯域幅圧縮部分を備える、請求項１に記載の方法。
【請求項８】
前記少なくとも１つのプロセッサは、グラフィックス処理ユニットを含む、請求項１に記載の方法。
【請求項９】
装置であって、
複数の帯域幅圧縮グラフィックスデータを、メモリ内のそれぞれの複数のブロックに記憶するための手段と、ここで、前記記憶するための手段は、前記複数の帯域幅圧縮グラフィックスデータのうちの第１の１つ以上を、前記複数のブロックのうちの第１の１つ以上に記憶するための手段と、前記複数の帯域幅圧縮グラフィックスデータのうちの第２の１つ以上を、前記複数のブロックのうちの第２の１つ以上に記憶するための手段とを含み、ここにおいて、前記メモリ内の前記複数のブロックの各々は、均一の固定サイズであり、前記複数の帯域幅圧縮グラフィックスデータのうちの前記第１の１つ以上の各々は、前記固定サイズより小さいサイズを有し、前記複数の帯域幅圧縮グラフィックスデータのうちの前記第２の１つ以上の各々は、前記複数のブロックのうちの前記それぞれの第２の１つ以上の各々に完全に記憶される、
前記複数の帯域幅圧縮グラフィックスデータに関連付けられたデータを、前記グラフィックスデータに対するグラフィックス動作の前記性能を最適化するために記憶されたデータが使用され得るように、前記複数の帯域幅圧縮グラフィックスデータの前記それぞれの１つ以上を含む、前記複数のブロックのうちの１つ以上のブロックの未使用空間に記憶するための手段と
を備える、装置。
【請求項１０】
前記複数の帯域幅圧縮グラフィックスデータに関連付けられた前記データは、前記複数のブロックのうちの前記第１の１つ以上に記憶された前記複数の帯域幅圧縮グラフィックスデータのうちの前記第１の１つ以上についての深度データを備える、請求項９に記載の装置。
【請求項１１】
前記複数のブロックのうちの前記第２の１つ以上を完全に占有する、前記複数の帯域幅圧縮グラフィックスデータのうちの前記第２の１つ以上の帯域幅圧縮グラフィックスデータの各々についてのデフォルトの深度値を関連付けるための手段をさらに備える、請求項１０に記載の装置。
【請求項１２】
前記複数の帯域幅圧縮グラフィックスデータに関連付けられた前記データは、前記複数のブロックに記憶された前記複数の帯域幅圧縮グラフィックスデータの各々についての深度データを備える、請求項９記載の装置。
【請求項１３】
前記複数の帯域幅圧縮グラフィックスデータに関連付けられた前記データは、前記複数のブロックのうちの前記第１の１つ以上に記憶された前記複数の帯域幅圧縮グラフィックスデータのうちの前記第１の１つ以上の帯域幅圧縮グラフィックスデータの各々を識別する１つ以上のハッシュコードを備える、請求項９に記載の装置。
【請求項１４】
前記複数の帯域幅圧縮グラフィックスデータに関連付けられた前記データは、前記複数のブロックに記憶された前記複数の帯域幅圧縮グラフィックスデータの各々を識別するハッシュコードを備える、請求項９に記載の装置。
【請求項１５】
前記複数の帯域幅圧縮グラフィックスデータに関連付けられた前記データは、前記複数のブロックに記憶された前記複数の帯域幅圧縮グラフィックスデータの各々を識別するハッシュコードと、前記複数のブロックに記憶された前記複数の帯域幅圧縮グラフィックスデータの各々についての深度データとを備える、請求項９に記載の装置。
【手続補正書】
【提出日】令和1年7月24日(2019.7.24)
【手続補正１】
【補正対象書類名】特許請求の範囲
【補正対象項目名】全文
【補正方法】変更
【補正の内容】
【特許請求の範囲】
【請求項１】
第１及び第２の主側面を有する剥離ライナーと、
前記ライナーの前記第１主側面上に配設された複数のフィラメントと、を含む、フィルムベースの物品。
【請求項２】
前記フィラメントが、高アスペクト比を有する熱可塑性押出物を含む、請求項１に記載のフィルムベースの物品。
【請求項３】
前記フィラメントが、ホットメルト接着材料を含む、請求項１に記載のフィルムベースの物品。
【請求項４】
前記フィラメントが、５０μｍ未満であるが５μｍよりも大きい平均断面を有する、請求項１に記載のフィルムベースの物品。
【請求項５】
前記剥離ライナーが、ポリエステル系フィルムを含む、請求項４に記載のフィルムベースの物品。
【請求項６】
ライナーの前記第１主側面が、剥離コーティングを含む、請求項４に記載のフィルムベースの物品。
【請求項７】
前記フィラメントのいくつかの部分が、前記ライナー内に少なくとも部分的に埋め込まれており、前記フィラメントのいくつかの部分が、前記ライナーの前記第１主表面の上に位置する、請求項４に記載のフィルムベースの物品。
【請求項８】
前記剥離ライナーが剥離ライナーのロールを含み、剥離ライナーの前記ロールがダウンウェブ寸法及びクロスウェブ寸法を有する、請求項７に記載のフィルムベースの物品。
【請求項９】
フィラメントがダウンウェブに方向付けされている、請求項８に記載のフィルムベースの物品。
【請求項１０】
前記フィラメントが長さ約３インチ未満のフィラメントを含む、請求項１に記載のフィルムベースの物品。
【請求項１１】
前記フィラメントが長さ約１／２インチ未満のフィラメントを含む、請求項１０に記載のフィルムベースの物品。
【請求項１２】
前記フィラメントが、前記フィルムの第１の寸法に従って配設された、複数回繰り返す規則的な間隔があいているフィラメントを含む、請求項１に記載のフィルムベースの物品。
【請求項１３】
前記フィラメントが、約５〜５０ｍｍの平均断面寸法、及び５〜５０ｍｍの長さを有する個別のフィラメント片を含み、かかる個別のフィラメント片が、第１の全体的方向に方向付けされた第１組と、前記第１の全体的方向とは異なる第２の全体的方向に方向付けされた第２組と、を含む、請求項１に記載のフィルムベースの物品。
【請求項１４】
前記フィラメントが、液体押出物を含む、請求項１に記載のフィルムベースの物品。
【請求項１５】
前記ライナーの第１主側面が総表面積「Ｔ」を有し、前記フィラメントの前記総面積が「Ａ」を含み、Ａ対Ｔの比が１０〜５０％である、請求項１に記載のフィルムベースの物品。
【手続補正書】
【提出日】令和1年6月19日(2019.6.19)
【手続補正１】
【補正対象書類名】特許請求の範囲
【補正対象項目名】全文
【補正方法】変更
【補正の内容】
【特許請求の範囲】
【請求項１】
2以上の官能価を有するイソシアネート化合物および2以上の官能価を有する環状エーテル化合物を溶媒の存在下で反応させることによって得られた有機エアロゲル。
【請求項２】
前記イソシアネート化合物および前記環状エーテル化合物を触媒の存在下で反応させる、請求項1に記載の有機エアロゲル。
【請求項３】
前記イソシアネート化合物が2から6、好ましくは2から3の官能価を有する、請求項1または2に記載の有機エアロゲル。
【請求項４】
前記環状エーテル化合物が2から6、好ましくは2から4の官能価を有する、請求項1から3のいずれか一項に記載の有機エアロゲル。
【請求項５】
前記イソシアネート化合物が芳香族イソシアネート化合物または脂肪族イソシアネート化合物である、請求項1から4のいずれか一項に記載の有機エアロゲル。
【請求項６】
前記環状エーテル化合物がエポキシ化合物またはオキセタン化合物である、請求項1から5のいずれか一項に記載の有機エアロゲル。
【請求項７】
イソシアネート基に対するエポキシ基／オキセタン基の比が18：1から1：15、好ましくは5：1から1：5である、請求項1から6のいずれか一項に記載の有機エアロゲル。
【請求項８】
前記溶媒が極性溶媒、好ましくは極性非プロトン性溶媒である、請求項1から7のいずれか一項に記載の有機エアロゲル。
【請求項９】
前記触媒が、アルキルアミン、芳香族アミン、イミダゾール誘導体、アザ化合物、グアニジン誘導体およびアミジンからなる群から選択される、請求項1から8のいずれか一項に記載の有機エアロゲル。
【請求項１０】
前記有機エアロゲルが、溶液の初期固形分に基づいて、3から30％、好ましくは5から20％の固形分を有する、請求項1から9のいずれか一項に記載の有機エアロゲル。
【請求項１１】
前記有機エアロゲルが、75mW／m・K未満、好ましくは55mW／m・K未満、より好ましくは50mW／m・K未満、なおより好ましくは45mW／m・K未満の熱伝導率を有する、請求項1から10のいずれか一項に記載の有機エアロゲル。
【請求項１２】
1）環状エーテル化合物を溶媒に溶解させ、イソシアネート化合物を加え、混合する工程；
2）もし存在させるならば、触媒を加え、混合する工程；
3）混合物を放置して、ゲルを形成させる工程；
4）前記ゲルを溶媒で洗浄する工程；および
5）前記ゲルを超臨界乾燥もしくは雰囲気乾燥によって乾燥する工程；
を含む、請求項1から11のいずれか一項に記載の有機エアロゲルを調製する方法。
【請求項１３】
室温から180℃の温度を工程3において適用して、ゲルを形成させ、好ましくは、室温から150℃の温度を適用する、請求項12に記載の方法。
【請求項１４】
請求項1から11のいずれか一項に記載の有機エアロゲルを含む、断熱材または音響材。
【請求項１５】
請求項1から11のいずれか一項に記載の有機エアロゲルの断熱材または音響材としての使用。
【手続補正２】
【補正対象書類名】明細書
【補正対象項目名】００７９
【補正方法】変更
【補正の内容】
【００７９】
ゲル化工程（3）は、オーブン中にて、予め設定された時間および温度で行われる。好ましくは、温度は工程3で適用され、より好ましくは、室温から180℃の温度がゲルを形成しつつ適用され、最も好ましくは、室温から150℃の温度が適用される。
【手続補正３】
【補正対象書類名】明細書
【補正対象項目名】０１４８
【補正方法】変更
【補正の内容】
【０１４８】
実施例９
イソシアネート／エポキシエアロゲルは、共にSigma-Aldrichからの4，4’−メチレンジフェニルジイソシアネート（MDI）およびポリ［（o−クレジルグリシジルエーテル）−コ−ホルムアルデヒド］Mn〜1050から調製した。
【手続補正４】
【補正対象書類名】明細書
【補正対象項目名】０１５５
【補正方法】変更
【補正の内容】
【０１５５】
実施例１０
イソシアネート／エポキシエアロゲルは、SapiciからのモノマーであるPolurene KCおよびSigma-AldrichからのビスフェノールAジグリシジルエーテルから調製した。
【手続補正５】
【補正対象書類名】明細書
【補正対象項目名】０１５６
【補正方法】変更
【補正の内容】
【０１５６】
ビスフェノールAジグリシジルエーテル（2.47g、7.3ミリモル）を20mLのN，N−ジメチルアセタミド（DMAc）に溶解させ、Polurene KCを加えた（6.65g、酢酸ブチル中に3.33gの純粋なKCを含有、2.1ミリモル）。第二の溶液は、1，5，7−トリアザビシクロ［4.4.0］デカ−5−エン（0.057g、0.04ミリモル）を1.58mLのDMAcに溶解させることによって調製した。双方の溶液を混合し、シールされた型に注ぎ、室温にて2時間放置した。溶液の最終固形分はほぼ20wt％であって、当量比は1：1であった。
【手続補正６】
【補正対象書類名】明細書
【補正対象項目名】０１６１
【補正方法】変更
【補正の内容】
【０１６１】
実施例１１
イソシアネート／エポキシエアロゲルは、SapiciからのモノマーであるPolurene KCおよびSigma-Aldrichからのポリ［（o−クレジルグリシジルエーテル）−コ−ホルムアルデヒド］から調製した（官能価6および4.8）。
【手続補正７】
【補正対象書類名】明細書
【補正対象項目名】０１６７
【補正方法】変更
【補正の内容】
【０１６７】
実施例１２
イソシアネート／オキセタンエアロゲルは、SapiciからのモノマーであるPolurene KCおよびToagosei America INC.からの4，4’−ビス［（3−エチル−3−オキセタニル）メトキシメチル］ビフェニル（OXBP）から調製した。
【手続補正８】
【補正対象書類名】明細書
【補正対象項目名】０１６８
【補正方法】変更
【補正の内容】
【０１６８】
OXBP（1.70g、4.1ミリモル）の第一の溶液を10mLのN，N−ジメチルアセタミド（DMAc）に溶解させ、Polurene KCを加えた（4.35g、酢酸ブチル中の2.18gの純粋なKCを含有、1.4ミリモル）。第二の溶液は、1，5，7−トリアザビシクロ［4.4.0］デカ−5−エン（0.038g、0.03ミリモル）を4.18mLのDMAcに溶解させることによって調製した。双方の溶液を混合し、シールされた型に注ぎ、室温にて5時間放置した。溶液の最終固形分はほぼ20wt％であった。
【手続補正９】
【補正対象書類名】明細書
【補正対象項目名】０１７３
【補正方法】変更
【補正の内容】
【０１７３】
実施例１３
イソシアネート／オキセタンエアロゲルは、SapiciからのモノマーであるPolurene HRおよびToagosei America INCからのビス［1−エチル（3−オキセタニル）］メチルエーテル（OXT-221）から調製した。
【手続補正書】
【提出日】令和1年6月28日(2019.6.28)
【手続補正１】
【補正対象書類名】特許請求の範囲
【補正対象項目名】全文
【補正方法】変更
【補正の内容】
【特許請求の範囲】
【請求項１】
複数のフィラメントを有するフィルムベースの物品の製造方法であって、
前記複数のフィラメントを剥離ライナーの第１主表面内に押し込んで、フィラメント含有剥離ライナーを製造し、
接着剤付きフィルムの接着剤側を、前記フィラメント含有剥離ライナーの前記第１主表面に積層する、製造方法。
【請求項２】
前記押し込む前に、前記剥離ライナーを加熱することを更に含む、請求項１に記載の製造方法。
【請求項３】
前記剥離ライナーの前記第１主表面が剥離剤を含む、請求項１に記載の製造方法。
【請求項４】
前記フィラメントを押出し成形し、前記フィラメントを引き伸ばすことを更に含む、請求項２に記載の製造方法。
【請求項５】
前記フィラメントが、その平均断面寸法が約５μｍ〜５０μｍになるまで引き伸ばされる、請求項４に記載の製造方法。
【請求項６】
前記剥離ライナーの前記第１主表面の総面積が「Ｔ」であり、前記フィラメントの総面積が「Ａ」であり、Ｔ対Ａの比が５〜５０％である、請求項５に記載の製造方法。
【請求項７】
前記フィラメントが、熱可塑性押出物を含む、請求項１に記載の製造方法。
【請求項８】
前記フィラメントが、ホットメルト接着剤を含む、請求項１に記載の製造方法。
【請求項９】
フィラメント片を前記剥離ライナーの前記第１主表面上に吹き付けることを更に含む、請求項１に記載の製造方法。
【請求項１０】
部分的に方向付けされたフィラメント片の第１組を前記剥離ライナーの前記第１主表面に接触させることであって、前記フィラメントが第１の方向に従って部分的に方向付けされている、ことと、
部分的に方向付けされたフィラメント片の第２組を前記剥離ライナーの前記第１主表面に接触させることであって、前記フィラメントが第２の方向に従って部分的に方向付けされている、ことと、を更に含む、請求項１に記載の製造方法。
【請求項１１】
前記押し込まれたフィラメントの複数部分を切断することを更に含む、請求項１に記載の製造方法。
【請求項１２】
複数のフィラメント片を有するフィルムベースの物品の製造方法であって、
前記複数のフィラメント片を接着剤被覆フィルムの接着剤側に接触させて、フィラメント含有接着剤被覆フィルムを製造し、
前記フィラメント含有接着剤被覆フィルムの前記接着剤側に剥離ライナーを積層する、製造方法。
【請求項１３】
前記複数のフィラメントに接触させることの前に、前記接着剤被覆フィルムの前記接着剤側を冷却することを更に含む、請求項１２に記載の製造方法。
【請求項１４】
前記積層工程が前記フィラメント片を部分的に前記接着剤層内に押し込む、請求項１２に記載の製造方法。
【請求項１５】
前記加熱した剥離ライナーが軟化点まで加熱され、前記積層工程により、前記加熱した剥離ライナーの表面内に前記フィラメントが押圧される、請求項１２に記載の製造方法。